(57)【要約】　　　（修正有）【課題】今迄はハンガーをパイプに掛けて、締め付けボルトを回してパイプに固定していた。又、取り外すときは逆に締め付けた分だけ緩めてはずしていた。従って取付け、取外しが面倒で時間が掛かった【解決手段】（ａ）　従来の固定されたフック部分を可動にして、パイプの着脱が２ｍｍ以内の間隙で可能になるようにした。（ｂ）　同時に締め付けの力が加わることで、ロック金具が可動するフックを開く方向にだけ阻止し、従来どうりに強力な締め付けが出来る設定にした。（ｃ）　ロック金具の作動はスプリングの力で自動的に動作できるようにした。（ｄ）　安全上、フックの先端のかぶさりを今までどうりに充分に確保した上で、パイプ外径プラス２ｍｍ以内の間隙が出来るようにフックの形状、支点を定めた。【選択図】　図１
2004006182.tif 000002
【特許請求の範囲】
【請求項１】
（ａ）従来のハンガーはフック部分▲１▼とボディー部▲２▼が一体となっていたが、ハンガーのフック部分を可動にし、荷重がかかると、ハンガーのフック部分と締めつけボルト▲４▼を持つボディー部が自動的にパイプを抱き込むようにしたこと。（図−１）
（ｂ）荷重がなくて、フックが開いたとき、締め付けボルトの先端Ｂとフックの先端Ａの間隔が３４〜４８．６ｍｍの間のパイプの外径プラス２ｍｍ以下になるように、フックの先端Ａを安全上充分な形状に定め、ボディーとフックを連結する支点▲３▼を定めた。（図−２）
（ｃ）フックに荷重がかかりパイプを抱いた時に、ロック金具▲５▼が自動的に立ち上がりフックの凸部とボディーの凹部で出来る溝▲６▼にはまり、締め付けボルトを締めつけた時だけ、凸部と凹部はロック金具を噛み込み、締め付けの力に比例して▲１▼と▲２▼をロック出来るようにした。（図−１）
【発明の詳細な説明】
【０００１】
【発明の属する技術分野】
このハンガーは外径３４〜４８．６ｍｍの間の照明用バトンパイプに、照明器材をつり込む時に使用する照明器具用ハンガーである。
【０００２】
【従来の技術】
今迄はハンガーをパイプに掛けて、締め付けボルトを回してパイプに固定していた。又、取り外すときは逆に締め付けた分だけ緩めてはずしていた。現状ではバトンパイプからハンガーを着脱するにはパイプと締め付けボルトの間が２０〜２４ｍｍの間隔がないと着脱出来ない。ボルトのピッチは各社共に１．５ｍｍであり、手回しで（半回転で０．７５ｍｍである）、２６〜３２回まわさねば２０〜２４ｍｍの間を詰めることが出来ない状態である。
【０００３】
【発明が解決しようとする課題】
（ａ）この２０〜２４ｍｍの間隔をちじめて、２ｍｍ以下にして、外径３４〜４８．６ｍｍの間のパイプなら、締め付けボルトを２〜３回手回しするだけで着脱出来るようにした。
（ｂ）従来のハンガーに比べると複雑であるが、照明器材の荷重、フック自体の自重、スプリングの力等を利用して、操作上の手間はかからないようにした。
（ｃ）機構的には複雑になったが、ハンガーの強度、安全性は従来と同等又は同等以上になるようにした。
【０００４】
【課題を解決するための手段】
（ａ）フックを可動にし又、同時にロックも出来るようにした。
（ｂ）３４〜４８．６ｍｍのいずれのパイプでも２ｍｍ以下の間隙で着脱できるフックの形を設定した。
（ｃ）照明器材の重量がかかればフックが閉じ、重量がなくなればフックが開く支点の設定をした。
【０００５】
【発明の実施の形態】
（ａ）バトンパイプに引っ掛かる可動フック部分▲１▼、それを支えるボディー部▲２▼、▲１▼と▲２▼を連結する支点▲３▼、締め付けボルト▲４▼、その両者を固定するスプリング付きロック金具▲５▼、ロック金具がはまる凸部と凹部で出来る溝▲６▼、照明器材を固定する部分▲７▼で構成される。
（ｂ）このハンガーを使用するとき、ロック金具▲５▼を指で押してフックとボディーの凹凸部で出来る溝▲６▼からはずしてやるとフック▲１▼は、支点が端によっているためその自重でロック金具▲５▼を押し下げて開いた形（図−２）になる。
（ｃ）バトンパイプにこの開いたフック部分を引っかけて荷重をハンガーにかけると（図−１）、フック部▲１▼とボディー部▲２▼は自動的にパイプを締め付ける方向に働くので、締め付けボルト▲４▼とバトンパイプの間隔は、予め締め付けボルトをパイプ径に合わせておけば、いずれのパイプでも２ｍｍ以下になる。
（ｄ）パイプを抱き込んだ状態では、スプリング付きロック金具▲５▼は、可動フックの荷重がなくなるので、スプリングの力で上に立ち上がりフックとボディーの凹凸部の溝▲６▼にはまる為、締めつけボルト▲４▼を締めて▲１▼と▲２▼をロックて、ハンガーをバトンパイプにしっかりと固定出来る。
【０００６】
【発明の効果】
（ａ）バトンパイプと締めつけねじの間隔は外径３４〜４８．６ｍｍの間のパイプなら２ｍｍ以下になるため、、締め付けボルトを回す手間は、２〜３回（２〜３ｍｍ進める）で終了する。締め付けボルトを手回しする回数は実に今までの１０〜１２分の１である。
（ｂ）今まで、ハンガーをパイプへ着脱するには時間を要したが、この方法だとハンガーをパイプに掛けて締め付けボルトを２〜３回手回しすれば完了、はずす時は締め付けボルトを２〜３回緩めて機材を持ち上げればはずれる。
（ｃ）スプリング付きロック金具は自動的に作動するので、手間はフックとボディーの凹凸部で出来る溝からロック金具を指ではずすだけであり、時間的には全く問題はない。
（ｄ）テレビスタジオや、劇場、イベント会場での照明器材の吊り込み作業がスピードアップされる。
【図面の簡単な説明】
【図１】ハンガーがパイプに掛かった図面
【図２】ハンガーのフックが開いてパイプから着脱する図面
【符号の説明】
▲１▼　可動フック　　　　　　　　　▲２▼　ボディー部
▲３▼　支点　　　　　　　　　　　　▲４▼　締め付けボルト
▲５▼　スプリング付きロック金具
▲６▼　フックの凸部とボディー部の凹部で出来る溝
▲７▼　照明器材の吊り下げ部を固定するところ
Ａ　可動フックの先端　　　　　　Ｂ　締め付けボルトの先端
【図１】
2004006182.tif 000003
【図２】
2004006182.tif 000004
【手続補正書】
【提出日】平成14年10月10日(2002.10.10)
【手続補正１】
【補正対象書類名】明細書
【補正対象項目名】全文
【補正方法】変更
【補正の内容】
【発明の詳細な説明】
【特許請求の範囲】
【請求項１】パイプに引掛かるフック部分▲１▼を可動とし、その可動フックをボディー部▲２▼と支点▲３▼で連結し、ハンガーが閉じたときに、可動フック▲１▼とボディー部▲２▼で出来る交点に溝▲６▼を設けて、ロック金具▲５▼がそこに自動的に入り、フック部とボディー部を一体化して、締め付けねじ▲４▼が使用出来る構造を備えた照明器具用ハンガー。（図１）
【発明の詳細な説明】
【０００１】
【発明の属する技術分野】
このハンガーは外径３４〜４８．６ｍｍの間のバトンパイプに、照明器具をつり込む時に使用する照明器具用ハンガーである。
【０００２】
【従来の技術】
フックとボディー部が一体となったハンガーをパイプに引掛けて、締め付けボルト▲４▼を回してパイプに固定していた。又、取り外すときは逆に締め付けた分だけ弛めて外していた。（図３）ハンガーを着脱するには、フックの先端Ａ、締め付けねじの先端Ｂの間に使用するパイプ径プラス２ｍｍ位の間隙がないとうまく出来ない。
ハンガーのフックの先端Ａが安全上十分にパイプ被さっている為に、パイプから外すときは、フックの先端Ａと締め付けねじの先端Ｂの間に、パイプが出入りする間隙を作る為に、現状では締め付けねじをパイプを締め付けた位置から２０〜２４ｍｍ位の長さを弛めなければならない。ボルトのピッチはいずれも１．５ｍｍであり、手まわし（半回転なので０．７５ｍｍである）で２７〜３２回、回さねば２０〜２４ｍｍの間隙を作ることが出来ない。又、ハンガーを引っ掛けるときは逆に２０〜２４ｍｍの間隔を詰めなければならない。ハンガーをパイプに引っ掛け、つまり２０〜２４ｍｍの間隔を開けたままだと、つまり締め付けねじを締め忘れると、下からの突き上げ力が働けば器材は落下する。安全キーがないため危険である。
【０００３】
【発明が解決しようとする課題】
（ａ）この２０〜２４ｍｍの間隔を、フックを可動にすることで、締め付けボルトを１回手まわし（０．７５ｍｍの間隔）するだけで、着脱出来るようにした。
（ｂ）フックを可動にしたが、同時に可動フックを固定して、強い締め付け力に耐えられる従来の要求も満たさねばならない。
（ｃ）構造上複雑になるが、その為に操作上の煩雑さがないような仕組みにした。
（ｄ）機構的には複雑になったが、ハンガーの強度、安全性は従来と同等又、それ以上になるようにした。
【０００４】
【課題を解決するための手段】
（ａ）ハンガーのフックは可動にしてあるので、締め付けねじを１回手で弛めることにより、フックに荷重が掛かりフックは閉じる方向に動き、その為にロック金具▲５▼はフリーな状態となり、指を添えて下に押してやることで簡単にはずれる。
同時に機材を持ち上げてフックに掛かる荷重をゼロにしてやると、フックは自重で開き、フックの先端Ａと締め付けねじの先端Ｂの間には、パイプがスムースに着脱出来る間隙（パイプ径＋２ｍｍ位）が出来る。（図２）
（ｂ）フックが開ききった状態で、フックの先端Ａと締め付けねじの先端Ｂの間隔がパイプの外径＋２ｍｍ位になるようにフックの形状を安全上十分にとって定めた。
又同時に、フックの開き角度も調整した。
フックの先端の被さりを少なくすれば、パイプの着脱は、よりスムースであるが、安全上の問題が残る。フックの開きにも、最適な角度が求められる。（図２）
（ｃ）フックに荷重がかかると、フックは自動的に閉じてパイプを抱き込むかたちとなり、ロック金具▲５▼が可動フック▲１▼とボディ部▲２▼の交点に設けられた溝▲６▼に、スプリングの力で入りフックが開く方向にのみ阻止する。即ち、締め付けねじ４を締め付けると、その力に比例してハンガーを強固に一体化出来るようにした。（図１）
（ｄ）フックの支点は片寄せてあるため、ロック金具がなければ自重で開く構造である。ロック金具を指で溝から外してやるだけで自動的に開く。
フックをパイプに掛けてやれば、器具の重量で、フックは自動的に閉じ、ロック金具はスプリングの力で立ち上がり溝に入り、一体化する。
すべて一連の動きであり煩雑さはない。（図１）
【０００５】
【発明の実施の形態】
（ａ）バトンパイプに引っ掛かる可動フック部分▲１▼、それを支えるボディー部▲２▼、▲１▼と▲２▼を連結する支点▲３▼、締め付けボルト▲４▼、その両者を固定するスプリング付きロック金具▲５▼、ロック金具がはまる溝▲６▼、照明器具を固定する部分▲７▼で構成される。
（ｂ）ハンガーをパイプから外す時は、締め付けねじ▲４▼を１回弛め（０．７５ｍｍ）て、ロック金具▲５▼を指で押して溝▲６▼から外してやるとフック部▲１▼は、支点が端によっているため、その自重でロック金具▲５▼を押し下げて、開いたかたちになる（図２）。
（ｃ）バトンパイプにこの開いたフック部分▲１▼を引っかけて荷重をハンガーにかけると、フック部▲１▼とボディー部▲２▼は自動的にパイプを抱き込む方向に動き、締め付けボルト▲４▼とバトンパイプの間隔は、いずれのパイプでも０．７５ｍｍ前後の間隙となり、あとは締め付けねじを０．７５ｍｍ位進めてやれば締め付け完了である。
（ｄ）パイプを抱き込んだ状態では、スプリング付きロック金具▲５▼は、可動フック▲１▼の荷重がなくなるので、スプリングの力で立ち上がりフックとボディーの交点で出来る溝▲６▼にはまり、フックの開く方向を阻止し、ロック金具を外さない限り開かない。この段階で締め付けボルト▲４▼を締めることでハンガーをバトンパイプにしっかりと固定できる。
【０００６】
【発明の効果】
（ａ）今まで、ハンガーをパイプへ着脱するには時間を要したが、この方法だとハンガーをパイプに掛けて締め付けボルトを指で１回手まわしすれば完了、はずす時は締め付けボルトを指で１回弛めて、ロック金具を指で押して、器材を持ち上げれば外れる。締め付けボルトを手まわしする回数は実に今までの１４〜２４分の１である。
（ｂ）ロック金具を外すというキー、機材を持ち上げるというキー、この二つのキーが合わさってはじめてハンガーは外れる。一つのキーではハンガーは開かない。操作棒等による誤作動が防げ安全性は向上した。
（ｃ）スプリング付きロック金具は自動的に作動するので、手間はフックとボディーの交点で出来る溝からロック金具を指で外すだけであり、これは一連の動きであり時間的には問題はない。慣れの問題もあるが着脱に要する時間は１０秒以内である。
（ｄ）テレビスタジオや、劇場、イベント会場での照明器具の吊り込み作業がスピードアップされる。
【図面の簡単な説明】
【図１】ハンガーがパイプに掛かった図面
【図２】ハンガーのフックが開いてパイプから着脱する図面
【図３】従来のハンガー図面
【符号の説明】▲１▼　可動フック　　▲２▼　ボディー部　　▲３▼　支点
▲４▼　締め付けボルト　　▲５▼　スプリング付きロック金具
▲６▼　フック部とボディー部の交叉する所に設けた溝
▲７▼　照明器具の吊り下げ部を固定するところ
Ａ　フックの先端
Ｂ　締め付けボルトの先端
【手続補正２】
【補正対象書類名】図面
【補正対象項目名】図３
【補正方法】追加
【補正の内容】
【図３】
2004006182.tif 000005
【手続補正書】
【提出日】平成15年3月18日(2003.3.18)
【手続補正１】
【補正対象書類名】明細書
【補正対象項目名】全文
【補正方法】変更
【補正の内容】
【発明の詳細な説明】
【特許請求の範囲】
【請求項１】（イ）締め付けボルト（４）とロックピン（７）を備えた枠（６）と照明器材を固定する部分（１２）からなるボディー部（２）を、可動フック（１）と支点（３）で連結する。
（ロ）ロックピン（７）は、ロックピンを備えた枠（６）の支点（８）と枠組して、スプリング（９）を入れて、ボディー部（２）に取り付ける。
（ハ）可動フック（１）とボディー部（２）には溝（１０）、（１１）を設けて、ハンガーが閉じた時と開いた時に、ロックピン（７）が入るようにする。
以上のごとく構成された照明器具用ハンガー。
【発明の詳細な説明】
【０００１】
【発明の属する技術分野】
このハンガーは外径３４〜４８．６ｍｍの間のバトンパイプに照明器具をつり込む時に使用する器具用ハンガーである。
【０００２】
【従来の技術】
（イ）今までは、フックとボディーが一体となったハンガーをパイプに引っ掛けて、締め付けボルト（４）を回して着脱していた。
着脱するには、使用されているパイプの径が３４ｍｍでも４８．６ｍｍでも、締め付けボルトを、メーカーによる違いもあるが、使用されているパイプ径に加えて２０〜２４ｍｍ以上締めたり、弛めたりしないと着脱できない。
締め付けボルトは各社共に１０ｍｍ径であり、ネジのピッチは１．５ｍｍであるので、手回し（半回転で０．７５ｍｍである）で２６回以上締め付けないとパイプにハンガーを固定できないし、又、ハンガーをパイプから外す時は２６回以上弛めないとできない。（この回数を少なくするために、締め付けの力を犠牲にして２条ネジにしたものもあるが、その場合でも回す回数は１３回以上である。）（ロ）ハンガーをパイプに引っ掛けたまま締め付けボルトを万一締め忘れると、つまり２０〜２４ｍｍの間隔を空けたままだと、引っ掛かっただけなので下からの突き上げ力が働けば器材は落下する危険性がある。
【０００３】
【発明が解決しようとする課題】
（イ）この２６回以上の「締め付ける、弛める」を、フックを可動にすることで２回位（１．５ｍｍ）で出来るようにする事。（通常の締め付け状態である。工具を使用してきつく締めた場合は締め付けた分だけ多くなる。通常の締め付け状態とは、バトンパイプに懸垂された状態でバトンパイプをゆすったとき、器材自体の揺れが起こらない状態を言う。工具を使用して締め付けた時はその分回す回数も多くなる）
（ロ）可動にしたフックが、簡単にボディー部と一体化されて強い締め付け力に耐えられるハンガーとして使える事。
（ハ）構造上複雑になるが、その為に操作上の煩雑さがないような仕組みにする事。
（ニ）その為に、ハンガーの安全性は損なわれず、従来と同等又、それ以上になる事。
【０００４】
【課題を解決するための手段】
（イ）可動フック（１）の角部（１ｂ）を構成する直線を、挟持するパイプの水平と垂直な接線に合わせ、その角部に入る直径３４〜４８．６ｍｍのパイプ（Ｐ）の各円の中心点を結び、角部（１ｂ）に向かう線の延長線上に締め付けボルト用のナット（５）を設け、それに締め付けボルト（４）を螺合する。
（ロ）角部にはいる各パイプの重心を通る垂線の内、略中間の垂線上に器材を固定する部分（１２）の中心線を置く。
（ハ）締め付けボルト用ナット（５）と器材を固定する部分（１２）を、逆「く」の字型のボディー部（２）に固定する。
（ニ）可動フック（１）が３４〜４８．６ｍｍのパイプを抱き込むに十分な位に、フックの他端即ち、支点（３）側を延長してやり、器材を固定する部分（１２）の荷重の掛かる中心線より離して、締め付けボルト（４）側の位置でボディー部（２）と交叉する位置に（１）と（２）を連結する支点（３）を定める。（図１）
（ホ）この位置で可動フック（１）の外側（パイプ挟持する側を内側とする）と、ボディー部（２）の交差点にロックピン（７）が入る凹部の溝（１０）を可動フック（１）に作り、ボディー部（２）には浅い溝（１０）を作る。（図１、図２）
（ヘ）この位置で可動フック（１）とボディー部（２）が接する接点（Ｃ）を設けて可動フックが閉じたときの限度とする。（図１）
（ト）この状態で、可動フック（１）が開いてその開きが支点（３）と略水平になる位置で、フック部（１）の外側とボディー部（２）で出来る交差点に、ロックピン（７）の入る溝、　フック側は凹部の溝（１１）、ボディー部側には浅い溝（１１）を作り、可動フックが開いたときの限度とする。（図１）
（チ）溝（１０），（１１）の円弧の中心点に支点（８）を置き、（８）とロックピン（７）とを略「コ」の字型に枠組みして、そこにスプリング（９）を入れてボディー部（２）に取り付ける。
（リ）可動フックの先端（Ａ）の被さり部分（１ａ）については、それが大きいほど落下の危険性はなくなるが、締め付けボルトの先端（Ｂ）と可動フックの先端（Ａ）との間隔は狭くなる。その為にフックの開き角度を大きく取らなければならなくなり、この発明が解決する課題の一部を満たせなくなる。
その為に可動フック（１）が支点（３）に略水平に開いた時にパイプが出入り出来る間隔が生まれるように被さり部分（１ａ）を調整した。
今までのハンガーでは、着脱の為に動作した締め付けボルトの長さは２０ｍｍ以上だったが、調整した結果、このハンガーを一体型として使用する時に弛めるボルトの長さは１８ｍｍ位となり、２ｍｍ位少なくなったが被さり部分（１ａ）は十分にパイプに被さっている。（図１）
自重で閉の方向に作動する可動フック（１）の動きを考慮すると、安全度を損なうことにはならない。
（ヌ）以上で構成されたハンガーの器材を固定する部分（１２）に掛かった荷重は、支点（３）により締め付けボルト（４）をパイプに押しつける方向に働き、同時に可動フック（１）はパイプに引っ掛かる方向に動作する。即ち、荷重によってパイプを抱き込む動作をする。（図１）
今までのハンガーでは、着脱するために２０〜２４ｍｍの間隙が必要であったが、これによりその間隙は縮まった。締め付けボルトを２回位まわすのはパイプに着脱するためでなく、着脱し易いように少し広くするためである。
（ル）締め付けボルトを弛めると、荷重は垂直な荷重となってフックは閉の方向に動作するためにロックピンはフリー状態となり、指で溝（１０）から外して器材を持ち上げてやる事でフックはパイプを抱いたまま開き、締め付けボルトの先端と可動フックの先端の間にパイプが出入りする間隙が出来る。（図２）
締め付けボルトを２回位まわすのはパイプの出入りする間隙を広げるためである。
（オ）可動フック（１）が閉じたとき、その一部とボディー部（２）の一部が（Ｃ）点で接し、その時にボディー部（２）と、可動フック（１）で出来る交差点に、ロックピン（７）が自動的に溝（１０）に入り、可動フックとボディーを一体化して今まで同様のハンガーとしても使用出来る。（図１）
（ワ）ロックピン（７）は溝（１０），（１１）で描く円弧の中心点に支点（８）を置いて略「コ」の字型に枠組みしてスプリング（９）を入れてある為、フックの荷重がない時はその自重でスプリングを押し下げて溝（１１）のロックピンの所まで開くが、可動フックに荷重が掛かると自動的に立ち上がって溝（１０）にはいる為に操作性の煩雑さはない。
【０００５】
【発明の実施の形態】
（イ）はじめてこのハンガーを使用する時、ハンガーを開いて締め付けボルト（４）を十分に弛めてパイプに掛ける。荷重をハンガーにかけるとフック部とボディー部は自動的にパイプを抱き込む方向に動く。（図１）
ロックピン（７）が溝（１０）に入る所まで締め付けボルト弛めておかなければならない。ロックピン（７）が溝（１０）に入った事を確認して締め付けボルトをを締める。
使用されているパイプ径を一端認知すれば、次からのハンガーの取り付けは容易である。締め付けボルトが通常の締め付け状態であれば、２回位まわしてやれば締め付け完了である。
（ロ）ハンガーをパイプから外すときは、締め付けボルトを２回弛めて（１．５ｍｍ）、ロックピンを備えた枠（６）を指で押し下げて溝（１０）から外してやると、フック部は自重で溝（１１）に入ったロックピン（７）まで開いてフックの先端（Ａ）と締め付けボルトの先端（Ｂ）の間にはパイプが出入りする間隙が生まれる。（図２）
（この時、パイプの径が３４ｍｍのとき３６ｍｍ、４２．７ｍｍのとき４６ｍｍ、４８．６ｍｍのとき５２ｍｍである。）
以上により、締め付けボルトを２回位回すだけでハンガーの脱着が出来る。
これらのすべての動きは一連のものであり煩雑さはない。
（ハ）パイプを抱き込んだ状態では、スプリング付ロックピン枠（６）は可動フックの自重がパイプに掛かるため、スプリングの力で立ち上がりフックとボディーの交差点で出来る溝（１０）に入り、フックの開く方向を阻止してロックピンを外さない限り開かない。この段階で締め付けボルトを締めることでハンガーをバトンパイプにしっかりと固定できる。（図１）
（ニ）ハンガーに挟まれる挟持体には、直径３４〜４８．６ｍｍのパイプ以外に、最近は直径６０．５ｍｍのものが使用される場合がある。
フックが挟持する物にあわせて、可動フック（１）の被さり部分（１ａ）と可動フック（１）の支点（３）側を延長し、挟持する各種物体の荷重の掛かる略垂線上に荷重を保持する部分（１２）を設定すれば、この考え方はほかにも利用可能である。
【０００６】
【発明の効果】
（イ）今までハンガーをパイプへ着脱するには時間を要したが、この方法だとハンガーをパイプに掛けて締め付けボルトを指で２回位手回しすれば完了、外すときは締め付けボルトを２回位弛めてロックピン枠を指で押しながら器材を持ち上げれば外れる。
（ロ）ロックピン枠を外すという動作、器材を持ち上げるという動作、この二つの動きがこの順序で行われてはじめハンガーは外れる。いずれか一つではハンガーは開かないし又、この手順が逆でも開かない。
操作棒等による誤作動が防げ安全性は向上した。
（ハ）外すときは、締め付けボルトを回してロックピン枠を指で外し器材を持ち上げる。取り付けるとき、ロックピン枠を溝から外して開いたフックをパイプに掛けて、締め付けボルトを締める。一連の動きであり煩雑さはなく時間的にも問題はない。
（ニ）テレビスタジオや、劇場、ホール、イベント会場での照明器具の吊り込み作業がスピードアップされる。
【図面の簡単な説明】
【図１】ハンガーがパイプに掛かった正面図と側面図
【図２】締め付けボルトを２回弛めて、フックが開いた図面
【符号の説明】１，可動フック　２，ボディー部　３，支点
４，締め付けボルト　５，締め付けボルト用ナット
６，ロックピンを備えた枠
７，ロックピン　８，（６）の枠の支点　９，スプリング
１０，可動フックとボディーを一体化する溝
１１，可動フックの開き角度の最大を決める溝
１２，器具の吊り下げ部を固定するところ
Ａ，フックの先端
Ｂ，締め付けボルトの先端
Ｃ，可動フックの閉じた時のボディー部との接点
Ｐ，パイプ
１ａ，フック部の先端の被さりの部分
１ｂ，フックの角部でパイプの入る所
【手続補正２】
【補正対象書類名】図面
【補正対象項目名】全図
【補正方法】変更
【補正の内容】
【図１】
2004006182.tif 000006
【図２】
2004006182.tif 000007
【手続補正書】
【提出日】平成15年7月1日(2003.7.1)
【手続補正１】
【補正対象書類名】明細書
【補正対象項目名】全文
【補正方法】変更
【補正の内容】
【発明の詳細な説明】
【特許請求の範囲】
【請求項１】（イ）締め付けボルト（４）と、ロックピン（７）を備えた枠（６）と、照明器材を固定する部分（１２）からなるボディー部（２）を、可動フック（１）と支点（３）で連結する。
（ロ）ロックピン（７）は、ボディー部（２）にある支点（８）を中心にして、ロックピン（７）が回動出来るように、ロックピン（７）と支点（８）を枠（６）組みする。
（ハ）支点（３）を中心にして、可動フック（１）が閉じてパイプを狭持した時と開いた時に、可動フック（１）の背側とボディー部（２）で出来る交差点に、可動フック（１）とボディー部（２）のそれぞれに、第１の溝（１０）及び第２の溝（１１）を設けて、可動フック（１）が閉じた時は双方の第１の溝（１０）に、又、可動フック（１）が開いた時は双方の第２の溝（１１）に、枠組みされたロックピン（７）が入るようにする。
（ニ）スプリング（９）の力で、ロックピン（７）が可動フック（１）とボディー部（２）の第１の溝（１０）側に、付勢する。
以上のごとく構成された照明器具用ハンガー。
【発明の詳細な説明】
【０００１】
【発明の属する技術分野】
このハンガーは外径３４〜４８．６ｍｍの間のバトンパイプに照明器具をつり込む時に使用する照明器具用ハンガーである。
【０００２】
【従来の技術】
今迄のハンガーは、照明器具を固定する部分、フック部、締め付けボルトが一体となったハンガーをパイプに引っ掛けて、締め付けボルト（４）を回して着脱していた。着脱するには、使用されているパイプの径が３４ｍｍでも４８．６ｍｍでも、締め付けボルトを、使用されているパイプ径に加えて２０〜２４ｍｍ以上締めたり、弛めたりしないと着脱できない。
締め付けボルトのピッチは各社共に１．５ｍｍであるので、手回しで（半回転で０．７５ｍｍである）２６〜３２回まわさねば２０〜２４ｍｍの間を詰めることが出来ない状態である。
【０００３】
【発明が解決しようとする課題】
（イ）この２０〜２４ｍｍの間隔をちじめて、外径３４〜４８．６ｍｍの間のパイプなら、締め付けボルトを２回位手回しするだけで、着脱出来るようにした。
（ロ）従来のハンガーに比べて、照明器材の荷重、フック自体の自重、スプリングの力等、自然の力を利用して、操作上の手間はかからないようにした。
（ハ）機構的には複雑になったが、ハンガーの強度、安全性は従来と同等又は、同等以上になるようにした。
【０００４】
【課題を解決するための手段】
（イ）締め付けボルト（４）と、ロックピン（７）を備えた枠（６）と、照明器材を固定する部分（１２）からなるボディー部（２）を、可動フック（１）と支点（３）で連結する。
（ロ）ロックピン（７）は、ボディー部（２）にある支点（８）を中心にして、ロックピン（７）が回動出来るように、ロックピン（７）と支点（８）を枠（６）組みする。
（ハ）支点（３）を中心にして、可動フック（１）が閉じてパイプを狭持した時と開いた時に、可動フック（１）の背側とボディー部（２）で出来る交差点に、可動フック（１）とボディー部（２）のそれぞれに、第１の溝（１０）及び第２の溝（１１）を設けて、可動フック（１）が閉じた時は双方の第１の溝（１０）に、又、可動フック（１）が開いた時は双方の第２の溝（１１）に、枠組みされたロックピン（７）が入るようにする。
（ニ）スプリング（９）の力で、ロックピン（７）がフック部（１）とボディー部（２）の第１の溝（１０）側に、付勢する。
【０００５】
【発明の実施の形態】
（イ）締め付けボルト（４）と、ロックピン（７）を備えた枠（６）と、照明器材を固定する部分（１２）からなるボディー部（２）を、可動フック（１）と支点（３）で連結する。
（ロ）可動フック（１）の支点（３）は照明器材の重量が掛かればフックが閉じ、重量がなくなればフックが自然に開くように、支点（３）を設定し、ボディー部（２）と連結する。
（ハ）可動フック（１）が閉じ、パイプを狭持した状態で、可動フック（１）とボディー部（２）が互いに接する接点（Ｃ）をそれぞれに設けて、可動フック（１）が閉じたときの限度とし、その時に出来る、可動フック（１）の背側とボディー部（２）の交差点に、ロックピン（７）が入る第１の溝（１０）を、それぞれに設ける。（図１）
（ニ）可動フック（１）が開き、狭持するパイプが出入り出来る状態で、可動フック（１）の背側とボディー部（２）で出来る交差点に、ロックピン（７）の入る第２の溝（１１）を各々に作り、可動フック（１）が開いたときの限度とする。（図２）
（ホ）ロックピン（７）は、ボディー部（２）にある支点（８）を中心にして、ロックピン（７）が回動出来るように、ロックピン（７）と支点（８）を枠組みする。
（ヘ）支点（３）を中心にして、可動フック（１）が閉じてパイプを狭持した時と開いた時に、可動フック（１）の背側とボディー部（２）で出来る交差点、第１の溝（１０）及び第２の溝（１１）に、可動フック（１）が閉じた時は双方の第１の溝（１０）に、又、フック部（１）が開いた時は双方の第２の溝（１１）に、枠組みされたロックピン（７）が入るようにする。
（ト）可動フック（１）が閉じた時、ロックピン（７）が可動フック（１）とボディー部（２）で出来る第１の溝（１０）側に、ロックピン（７）が付勢するように、スプリング（９）を付ける。
（チ）以上で構成されたハンガーの器材を固定する部分（１２）に掛かった荷重は、支点（３）により、締め付けボルト（４）をパイプに押しつける方向に働き、同時に可動フック（１）は、パイプに引っ掛かる方向に動作する。即ち、荷重によってパイプを抱き込む動作をする。（図１）
（リ）締め付けボルトを弛めて、締め付け力をゼロにすると、荷重は方向を変えて垂直な荷重となり、可動フックは閉の方向に動作するためにロックピンはフリー状態となり、指で溝（１０）から外して器材を持ち上げてやる事で、可動フック（１）は、パイプ（Ｐ）を抱いたまま開き、締め付けボルトの先端（Ｂ）と可動フックの先端（Ａ）の間にパイプが出入りする間隙が出来る。今までのハンガーでは、着脱するために２０〜２４ｍｍの間隙が必要であったが、これによりそれは必要なくなった。締め付けボルトを２回位まわすのは、パイプからの取り外しが、し易いようにパイプと締め付けボルトの先端（Ｂ）の間隔を広くするためである。（図２）
（ヌ）このハンガーを、最初に使用するときは、締め付けボルト（４）を十分に弛めてパイプに掛け、ロックピン（７）が溝（１０）に入る事を確認して、締め付けボルト（４）を締める。使用されているパイプ径を一端認知すれば、次からのハンガーの取り付けは容易である。締め付けボルトを２回位回してやれば締め付け完了である。
（ル）ハンガーをパイプから外す時は、締め付けボルトを２回位弛めて、ロックピンを備えた枠（６）を指で押し、溝（１０）から外して、器材を持ち上げてやると、可動フック（１）はその自重でパイプを狭持したまま、ロックピン（７）を溝（１１）まで押し下げて可動フックの先端（Ａ）と締め付けボルトの先端（Ｂ）の間にはパイプが出入りする間隔が生まれる。以上により、締め付けボルトを２回位回すだけでハンガーの着脱が出来る。
これらのすべての動きは一連のものであり煩雑さはない。
（オ）このハンガーが、パイプを狭持し、荷重がフックに掛かった状態では、ロックピンを備えた枠（６）は、スプリング（９）で付勢されて、フックとボディーの交差点で出来る第１の溝（１０）に入り、可動フックの開く方向を阻止する。この段階で締め付けボルト（４）を締めることでハンガーをバトンパイプにしっかりと固定できる。（図１）
【０００６】
【発明の効果】
（イ）今までハンガーをパイプへ着脱するには時間を要したが、この方法だとハンガーをパイプに掛けて締め付けボルトを指で２回位手回しすれば完了、外すときは締め付けボルトを２回位弛めて、ロックピンを備えた枠を指で押しながら器材を持ち上げれば外れる。
（ロ）ロックピンを備えた枠を外すという動作、器材を持ち上げるという動作、この二つの動きがこの順序で行われてはじめハンガーは外れる。
（ハ）外す時は、締め付けボルトを回して、ロックピンを備えた枠を指で外し器材を持ち上げる。取り付ける時はロックピンを備えた枠を溝から外して、フックを開き、パイプに掛けて、締め付けボルトを締める。一連の動きであり煩雑さはなく時間的にも問題はない。
（ニ）テレビスタジオや、劇場、ホール、イベント会場での照明器具の吊り込み作業がスピードアップされる。
【図面の簡単な説明】
【図１】ハンガーがパイプに掛かった正面図と側面図
【図２】締め付けボルトを２回弛めて、フックが開いた図面
【符号の説明】
１，可動フック　２，ボディー部　３，支点
４，締め付けボルト　５，締め付けボルト用ナット
６，ロックピンを備えた枠
７，ロックピン　８，（６）の枠の支点　９，スプリング
１０，可動フックとボディーを一体化する溝
１１，可動フックの開き角度の最大を決める溝
１２，器具の吊り下げ部を固定するところ
Ａ，フックの先端
Ｂ，締め付けボルトの先端
Ｃ，可動フックの閉じた時のボディー部との接点
Ｐ，パイプ
１ａ，フック部の先端の被さりの部分
１ｂ，フックの角部でパイプの入る所